(57)【要約】      （修正有）【課題】エアフィルタを通過する空気流に淀みが生じるのを抑制し、圧力損失を低減させることができる調湿装置を提供する。【解決手段】空気の水分を吸着する吸着剤が担持された熱交換器３１、３２によって室外空気及び室内空気の一方を除湿し他方を加湿した後、当該室外空気を室内に供給し当該室内空気を室外に排出する調湿装置１０。熱交換器３１，３２は、ファンの吸込口側に配設されている。空調室又は屋外からの吸込ダクトの調湿装置１０への入口中心と、熱交換器３１、３２上流側のダンパ中心とが水平又は垂直方向に位置ずれすることで入口から前記ダンパに至る空気の通路に曲がり部が存在している。前記入口とダンパとの間のチャンバにエアフィルタ７１が配設されており、このエアフィルタ７１は、前記吸込ダクトの中心線と直交する面に対し傾斜して配置されている。【選択図】図１
2014119182.tif 000002
【特許請求の範囲】
【請求項１】
空気の水分を吸着する吸着剤が担持された熱交換器（３１、３２）によって室外空気及び室内空気の一方を除湿し他方を加湿した後、当該室外空気を室内に供給し当該室内空気を室外に排出する調湿装置（１０）であって、
前記熱交換器（３１，３２）は、ファンの吸込口側に配設されており、
空調室又は屋外からの吸込ダクトの前記調湿装置（１０）への入口中心と、前記熱交換器（３１、３２）上流側のダンパ中心とが水平又は垂直方向に位置ずれすることで前記入口から前記ダンパに至る空気の通路に曲がり部が存在しており、
前記入口とダンパとの間のチャンバにエアフィルタが配設されており、
このエアフィルタは、前記吸込ダクトの中心線と直交する面に対し傾斜して配置されていることを特徴とする調湿装置（１０）。
【請求項２】
前記エアフィルタは、平面視でくの字状に配置されている、請求項１に記載の調湿装置（１０）。
【請求項３】
前記エアフィルタは、平面視矩形状のチャンバの対角を結ぶ線上に配置されている、請求項１に記載の調湿装置（１０）。
【発明の詳細な説明】
【技術分野】
【０００１】
本発明は調湿装置に関する。さらに詳しくは、熱交換器がファンの吸込口側に配設された調湿装置に関する。
【背景技術】
【０００２】
下記特許文献１には、空気の水分を吸着する吸着剤が担持された熱交換器によって室外空気及び室内空気の一方を除湿し他方を加湿した後、当該室外空気を室内に供給し当該室内空気を室外に排出する調湿装置が開示されている。
【０００３】
具体的には、図１０に示されるように、直方体形状のケーシング１１１の一側面１２１には、室外空気を取り入れるための外気取入口１５１と、室内空気を取り入れるための内気取入口１５３とが形成され、また、前記一側面１２１の両側に隣接する他の２側面１２２，１２３には、当該室外空気を室内へ供給するための給気吹出口１５４と、当該室内空気を室外へ排出するための排気吹出口１５２とがそれぞれ形成されている。
【０００４】
ケーシングの前記一側面１２１に対向する他側面１２４の近傍には、２つのファン１３４，１３５が配置されており、それぞれの吐出口が給気吹出口１５４と排気吹出口１５２に接続されている。この２つのファン１３４，１３５の作動によって、ケーシング１１１内には、外気取入口１５１及び内気取入口１５３から取り入れた空気を給気吹出口１５４及び排気吹出口１５２から吹き出す空気の流れが生成される。また、２つのファン１３４，１３５の間には圧縮機１２７や膨張弁等が配置されている。調湿装置の制御基板等が設けられた電装品ユニット（電装品箱）は、通常、ファン１３４，１３５や圧縮機１２７の近傍にあるケーシング１１１の他側面１２４の外側に取り付けられている。
【０００５】
２台の熱交換器１３１、１３２は、区画壁１４１、１４２、１４３、１４４により区画された熱交換器室１４５、１４６にそれぞれ配設されている。そして、室内空気及び室外空気の流れ方向を基準として上流側の区画壁１４１と下流側の区画壁１４３には、開閉動作によりケーシング１１１内の空気の流れを変更させるダンパ１６０ａ、１６０ｂ及び１６１ａ、１６１ｂがそれぞれ取り付けられている。
【０００６】
また、前記外気取入口１５１及び内気取入口１５３と、前記ダンパ１６０ａ、１６０ｂとの間の平面視矩形状のチャンバ１８０内にはエアフィルタ１７１が配設されている。このエアフィルタ１７１は、その表面が、前記外気取入口１５１及び内気取入口１５３からの空気の流れと略直交するように配置されている。
【先行技術文献】
【特許文献】
【０００７】
【特許文献１】特開２００９−１０９１２０号公報
【発明の概要】
【発明が解決しようとする課題】
【０００８】
前述した調湿装置では、エアフィルタ１７１の表面が外気取入口１５１及び内気取入口１５３からの空気の流れと略直交するように配置されているので、両取入口１５１、１５３からの空気流がエアフィルタ１７１に当たる部分から横方向にずれた領域において空気流の大きな淀みが生じ、両取入口１５１、１５３からダンパ１６０ａ、１６０ｂへの空気の流れが乱れ、その結果、圧力損失が大きくなるという問題がある。具体的に、外気取入口１５１から吸い込まれた外気が、図１０において右側の熱交換器１３２を通過して、給気吹出口１５４から空調室に吹き出される流路の場合、図１０においてＣで示される部分に空気流の淀みが生じ、ダンパ１６０ｂのＤで示される部分の風速が他の部分に比べて大きく低下してしまう。これにより、圧力損失が大きくなってしまう。
【０００９】
本発明は、このような事情に鑑みてなされたものであり、エアフィルタを通過する空気流に淀みが生じるのを抑制し、圧力損失を低減させることができる調湿装置を提供することを目的としている。
【課題を解決するための手段】
【００１０】
（１）本発明の調湿装置は、空気の水分を吸着する吸着剤が担持された熱交換器によって室外空気及び室内空気の一方を除湿し他方を加湿した後、当該室外空気を室内に供給し当該室内空気を室外に排出する調湿装置であって、
前記熱交換器は、ファンの吸込口側に配設されており、
空調室又は屋外からの吸込ダクトの前記調湿装置への入口中心と、前記熱交換器上流側のダンパ中心とが水平又は垂直方向に位置ずれすることで前記入口から前記ダンパに至る空気の通路に曲がり部が存在しており、
前記入口とダンパとの間のチャンバにエアフィルタが配設されており、
このエアフィルタは、前記吸込ダクトの中心線と直交する面に対し傾斜して配置されていることを特徴としている。
【００１１】
本発明の調湿装置では、エアフィルタが吸込ダクトの中心線と直交する面に対し傾斜して配置されているので、当該エアフィルタに対して均一に空気をあてることが可能となり、エアフィルタの端部付近において空気の淀みが生じるのを防止することができる。その結果、ダンパ入口部における空気速度にばらつきが発生するのが抑制され、圧力損失を小さくすることができる。
【００１２】
（２）前記（１）の調湿装置において、前記エアフィルタを、平面視でくの字状に配置することができる。吸込ダクトが並設された２つのダンパの中間付近に配設されている場合、エアフィルタを、平面視でくの字状に配置することにより、当該エアフィルタに対して均一に空気をあてることが可能となり、エアフィルタの端部付近において空気の淀みが生じるのを防止することができる。
【００１３】
（３）前記（１）の調湿装置において、前記エアフィルタを、平面視矩形状のチャンバの対角を結ぶ線上に配置することができる。吸込ダクトが並設された２つのダンパのうち一方のダンパの略正面に配設されている場合、エアフィルタを、平面視矩形状のチャンバの対角を結ぶ線上に配置することにより、当該エアフィルタに対して均一に空気をあてることが可能となり、エアフィルタの端部付近において空気の淀みが生じるのを防止することができる。
【発明の効果】
【００１４】
本発明の調湿装置によれば、エアフィルタを通過する空気流に淀みが生じるのを抑制し、圧力損失を低減させることができる。
【図面の簡単な説明】
【００１５】
【図１】本発明の一実施の形態に係る調湿装置の内部の平面説明図である。
【図２】図１におけるＡ−Ａ線矢視方向から見た調湿装置の内部の説明図である。
【図３】図１におけるＢ−Ｂ線矢視方向から見た調湿装置の内部の説明図である。
【図４】調湿装置の冷媒回路を示す配管系統図である。
【図５】調湿装置内の空気の流れを示す平面説明図である。
【図６】調湿装置内の空気の流れを示す平面説明図である。
【図７】調湿装置内の空気流通路と熱交換器室との間の空気の流れを示す説明図である。
【図８】調湿装置内の空気流通路と熱交換器室との間の空気の流れを示す説明図である。
【図９】本発明の調湿装置の他の実施の形態の内部の平面説明図である。
【図１０】従来技術に係る調湿装置の内部を示す平面説明図である。
【発明を実施するための形態】
【００１６】
以下、添付図面を参照しつつ、本発明の調湿装置の実施の形態を詳細に説明する。
図１は、本発明の一実施の形態に係る調湿装置の内部の平面説明図である。図２は、図１におけるＡ−Ａ線矢視方向から見た調湿装置の内部の説明図である。図３は、図１におけるＢ−Ｂ線矢視方向から見た調湿装置の内部の説明図である。
本実施の形態に係る調湿装置１０は、室内の換気を行いながら除湿又は加湿を行うものであり、ケーシング１１と、冷媒回路１２と、空気流制御機構１３等を備えている。
【００１７】
ケーシング１１は、平面形状が長方形で扁平な直方体の箱形に形成されている。具体的に、ケーシング１１は、底板１８と、天板１９と、４枚の側板（第１〜第４側板）２１〜２４とを備えている。これら底板１８、天板１９、及び側板２１〜２４によって囲まれた空間内に冷媒回路１２の一部や空気流制御機構１３等が収容されている。また、ケーシング１１の一側面（第１側板２１の外面）には、電装品ユニット１５が設けられている。なお、以下の説明においては、ケーシング１１の平面形状（長方形状）における長辺に沿った方向を前後方向とし、短辺に沿った方向を左右方向とする。また、前後方向については、第１側板２１側を前側とし、第４側板２４側を後側とする。
【００１８】
図４は、調湿装置１０の冷媒回路１２を示す配管系統図である。冷媒回路１２は、第１熱交換器３１、四路切換弁（切換機構）２６、圧縮機２７、第２熱交換器３２、及び電動膨張弁（膨張機構）２８を冷媒配管２９によって接続してなり、冷媒を循環させることによって蒸気圧縮式の冷凍サイクルを実行するように構成されている。
【００１９】
圧縮機２７は、その吐出側が四路切換弁２６の第１のポートに接続され、その吸入側が四路切換弁２６の第２のポートに接続されている。第１熱交換器３１の一端は、四路切換弁２６の第３のポートに接続されている。第１熱交換器３１の他端は、電動膨張弁２８に接続されている。第２熱交換器３２の一端は、四路切換弁２６の第４のポートに接続されている。第２熱交換器３２の他端は、電動膨張弁２８に接続されている。
【００２０】
圧縮機２７は、いわゆる全密閉型であり、インバータによって回転数が制御される容量可変型の圧縮機とされている。
第１熱交換器３１及び第２熱交換器３２は、いずれも、伝熱管と多数のフィンとを備えた、いわゆるクロスフィン型のフィン・アンド・チューブ式熱交換器により構成されている。また、第１熱交換器３１及び第２熱交換器３２の外表面には、その概ね全面に亘ってゼオライト等の吸着剤が担持されている。
【００２１】
四路切換弁２６は、第１のポートと第３のポートが連通しかつ第２のポートと第４のポートが連通する状態（図４（ａ）参照）と、第１のポートと第４のポートが連通しかつ第２のポートと第３のポートが連通する状態（図４（ｂ）参照）とに切り換え可能に構成されている。そして、冷媒回路１２は、この四路切換弁２６のポートの連通状態を切り換えることにより、冷媒循環方向を反転させ、第１熱交換器３１が凝縮器として機能し、第２熱交換器３２が蒸発器として機能する第１の冷凍サイクル動作と、第１熱交換器３１が蒸発器として機能し、第２熱交換器３２が凝縮器として機能する第２の冷凍サイクル動作とを行うことができる。
【００２２】
図１〜３に示されるように、空気流制御機構１３は、ケーシング１１内に室外空気及び室内空気を取り込み、それぞれ熱交換器３１，３２を通過させた後にケーシング１１から室内及び室外に吹き出す空気流を生成するものである。具体的に、空気流制御機構１３は、ケーシング１１内から空気を吹き出す第１ファン３４及び第２ファン３５を備えている。
【００２３】
第１ファン３４及び第２ファン３５は、シロッコファンにより構成されている。シロッコファンは、図１に示されるように、モータ３６によって回転する多翼の羽根車３７をファンケーシング３８内に設けたものである。ファンケーシング３８は円筒形に形成され、ファンケーシング３８の側面には吸込口３８ｂが形成され、外周面には吐出口３８ａが形成されている（図２〜３参照）。また、第１ファン３４及び第２ファン３５は、インバータ制御によって風量を調整可能に構成されている。
【００２４】
また、空気流制御機構１３は、図１〜３に示されるように、第１，第２ファン３４，３５によってケーシング１１内に取り込まれた空気の流通路を制御する複数のダンパ４１〜４８を備えている。このダンパ４１〜４８の具体的な動作については後述する。
【００２５】
図１に示されるように、ケーシング１１の第２側板２２には、室外の空気をケーシング１１内に取り入れるための外気取入口５２と、ケーシング１１から室外に空気を排出するための排気吹出口５１とが形成されている。排気吹出口５１は、ケーシング１１の前部側に形成されており、外気取入口５２は、ケーシング１１の前後方向の略中央部に形成されている。そして、排気吹出口５１の近傍には、排気吹出用の第１ファン３４が配置されている。排気吹出口５１と外気取入口５２とには、それぞれダクトＤ１，Ｄ２の一端が接続され、これらのダクトＤ１，Ｄ２の他端側は室外（屋外）に接続されている。
【００２６】
ケーシング１１の第３側板２３には、室内の空気をケーシング１１内に取り入れるための内気取入口５４と、ケーシング１１から室内に空気を供給するための給気吹出口５３とが形成されている。給気吹出口５３は、ケーシング１１の前部側に形成されており、内気取入口５４は、ケーシング１１の前後方向の略中央部に形成されている。そして、給気吹出口５３の近傍には、給気吹出用の第２ファン３５が配置されている。給気吹出口５３と内気取入口５４とには、それぞれダクトＤ３，Ｄ４の一端が接続され、これらのダクトＤ３，Ｄ４の他端側は室内に接続されている。
【００２７】
以上の構成により、室外と室内とは、ダクトＤ１〜Ｄ４及びケーシング１１を介して相互に連通されている。
なお、以下の説明においては、図１に示されるように、外気取入口５２からケーシング１１内に取り入れられる空気をＯＡ、内気取入口５４からケーシング１１内に取り入れられる空気をＲＡ、排気吹出口５１からケーシング１１外へ排出される空気をＥＡ、給気吹出口５３からケーシング１１外へ排出される空気をＳＡと表記することがある。
【００２８】
図１に示されるように、ケーシング１１の内部には、第１ファン３４及び第２ファン３５が配置される送風室５６ａ，５６ｂと、その後方の空間とを区画する第１区画壁６１が設けられている。また送風室５６ａ，５６ｂは、第２区画壁６２によって、排気吹出用の第１ファン３４が配置される第１送風室５６ａと、給気吹出用の第２ファン３５が配置される第２送風室５６ｂとに区画されている。第２送風室５６ｂは第１送風室５６ａよりも左右方向に広く形成されている。
【００２９】
第１ファン３４と第２ファン３５との間における第２送風室５６ｂ内のスペースＳには、冷媒回路１２を構成する電動膨張弁２８や四路切換弁２６等（図４参照）が配置されている。このスペースＳから第１側板２１を貫通して引き出された冷媒配管２９には、ケーシング１１の外部に設置された圧縮機２７が接続されている。ただし、圧縮機２７はケーシング１１内のスペースＳに配置されていてもよい。
【００３０】
ケーシング１１内における第１，第２送風室５６ａ，５６ｂの後方には、熱交換器室５７，５８と空気流通路５９，６０とが形成されている。具体的に、第１区画壁６１の後方には、前後方向に沿って延びる第３区画壁６３と第４区画壁６４とが左右方向に並べて設けられている。第３区画壁６３及び第４区画壁６４の前端は第１区画壁６１に接続され、後端は第４側板２４に接続されている。第３区画壁６３と第４区画壁６４との間には、第１，第２熱交換器３１，３２が配置される熱交換器室５７，５８が形成されている。第３区画壁６３と第２側板２２との間、及び、第４区画壁６４と第３側板２３との間には、それぞれ第１空気流通路５９及び第２空気流通路６０が形成されている。
【００３１】
熱交換器室５７，５８は、第５区画壁６５によって前後に区画されている。そして、前側の第１熱交換器室５７には第１熱交換器３１が配置され、後側の第２熱交換器室５８には第２熱交換器３２が配置されている。本実施の形態では、第１熱交換器３１及び第２熱交換器３２は、図７及び図８に示されるように、それぞれ第１空気流通路５９側が第２空気流通路６０側よりも高くなるように傾斜した姿勢で配置されている。そのため、第１及び第２熱交換器室５７，５８内の空気流は、第１及び第２熱交換器３１，３２を左右方向かつ上下方向に流通するようになっている。このように第１及び第２熱交換器３１，３２を傾斜した姿勢で配置することで、空気の流通面積を拡大し、熱交換効率の向上及び吸着剤による水分の吸着効率の向上を図ることができる。
【００３２】
図２に示されるように、第１空気流通路５９は、第６区画壁６６によって上下２段に区画されている。排気吹出口５１の近傍に配置された排気吹出用の第１ファン３４は、その吸込口３８ｂが下段側の第１空気流通路５９ｂに接続されている。また、外気取入口５２は、上段側の第１空気流通路５９ａに連通している。そして、調湿装置１０への外気の入口である外気取入口５２と、熱交換器３１、３２の上流側のダンパ４３、４４との間のチャンバである、上段側の第１空気流通路５９ａには、エアフィルタ７１が配設されている。このエアフィルタ７１は、吸込ダクトであるダクトＤ２の中心線と直交する面に対し傾斜して配置されている。換言すれば、エアフィルタ７１は、平面視が矩形状である第１空気流通路５９ａの対角を結ぶ線上に位置するように配置されている。
【００３３】
図３に示されるように、第２空気流通路６０は、第７区画壁６７によって上下２段に区画されている。給気吹出口５３の近傍に配置された給気吹出用の第２ファン３５は、その吸込口３８ｂが上段側の第２空気流通路６０ａに接続されている。また、内気取入口５４は、下段側の第２空気流通路６０ｂに連通している。そして、調湿装置１０への内気（ＲＡ）の入口である内気取入口５４と、熱交換器３１、３２の上流側のダンパ４７、４８との間のチャンバである、下段側の第２空気流通路６０ｂには、エアフィルタ７１が配設されている。このエアフィルタ７１は、吸込ダクトであるダクトＤ４の中心線と直交する面に対し傾斜して配置されている。換言すれば、エアフィルタ７１は、平面視が矩形状である第２空気流通路６０ｂの対角を結ぶ線上に位置するように配置されている。
【００３４】
第１側板２１の前面に配置された電装品ユニット１５は、電装品箱内に、調湿装置１０全体の制御基板、圧縮機２７や第１，第２ファン３４，３５の制御基板（インバータ基板）等の電気部品を収容してなる。この電装品ユニット１５の点検や部品交換等を行うため、ケーシング１１の前方にはメンテナンス用の作業スペースが形成される。また、第１，第２ファン３４，３５に対するメンテナンスや冷媒回路１２における膨張弁２８や四路切換弁２６等のメンテナンスも第１側板２１を取り外すことによってケーシング１１の前方の作業スペースにおいて行うことができる。
【００３５】
すなわち、本実施の形態では、電装品ユニット１５、第１，第２ファン３４，３５、及び冷媒回路１２の一部２８，２６がケーシング１１の一側部である前部側の領域（第１側板２１の近傍の領域）に集中して配置されているので、これらのメンテナンスのための作業スペースもケーシング１１の前側に集中して形成することができる。その結果、当該作業スペースをケーシング１１の周囲に分散して形成する場合に比べて、作業スペース全体の平面的な面積を可及的に小さくすることができるとともに、調湿装置１０の周囲全体に広くスペースを確保する必要がなくなるので、調湿装置１０の設置場所の制約が少なくなり、調湿装置１０の設置の自由度を高めることができる。
【００３６】
また、排気吹出口５１及び外気取入口５２は、ケーシング１１の第２側板２２に形成され、給気吹出口５３及び内気取入口５４は、ケーシング１１の第３側板２３に形成されている。そのため、第２側板２２及び第３側板２３の周囲にはダクトＤ１〜Ｄ４を配設するためのスペースを確保する必要がある。一方、ケーシング１１の第４側板２４には、開口も形成されず、部品も設けられていないので、第４側板２４の周囲には特にスペースを確保する必要がない。そのため、第４側板２４を建物の壁際等に配置するような調湿装置１０の設置が可能となり、これによっても調湿装置１０の設置場所の制約を少なくし、設置の自由度を高めることができる。
【００３７】
また、第２側板２２に形成された排気吹出口５１及び外気取入口５２には、それぞれ室外へ向けて配設されるダクトＤ１，Ｄ２が接続されている。第３側板２３に形成された給気吹出口５３及び内気取入口５４には、それぞれ室内に向けて配設されるダクトＤ３，Ｄ４が接続されている。したがって、いずれのダクトＤ１〜Ｄ４も、同一の場所へ向けて配設されるものがケーシング１１の同一の側板２２，２３に接続されている。このような構成によって、ダクトの曲げ回数を少なくする等、配設経路を簡素化することができ、ダクトの設置に要するスペースを小さくすることができる。
【００３８】
図２に示されるように、第３区画壁６３には、４つの通気口８１〜８４が前後上下に並べて形成されている。これらの通気口８１〜８４は、それぞれダンパ４１〜４４によって開閉可能に構成されている。
また、図３に示されるように、第４区画壁６４には、４つの通気口８５〜８８が前後上下に並べて形成されている。これらの通気口８５〜８８は、それぞれダンパ４５〜４８によって開閉可能に構成されている。
【００３９】
図２に示されるように、第３区画壁６３に形成された上段側の通気口８３，８４は、上段側の第１空気流通路５９ａに連通している。また、下段側の通気口８１，８２は、下段側の第１空気流通路５９ｂに連通している。
図３に示されるように、第４区画壁６４に形成された上段側の通気口８５，８６は、上段側の第２空気流通路６０ａに連通している。また、下段側の通気口８７，８８は、下段側の第２空気流通路６０ｂに連通している。
【００４０】
また、第３，第４区画壁６３，６４に形成された通気口８１〜８８のうち、前側に配置された４つの通気口８１，８３，８５，８７は、前側の第１熱交換器室５７（図１参照）に連通し、後側に配置された４つの通気口８２，８４，８６，８８は、後側の第２熱交換器室５８（図１参照）に連通している。
【００４１】
次に、ダンパ４１〜４８の具体的な開閉動作とケーシング１１内の空気流について説明する。各ダンパ４１〜４８は、次の開閉パターンに従って開閉動作を行う。
図２に示されるように、第３区画壁６３に設けられたダンパ４１〜４４のうち、上段側の前後のダンパ４３，４４は交互に開閉し（一方が開いたときに他方が閉じ、他方が開いたときに一方が閉じる）、同様に、下段側の前後のダンパ４１，４２も交互に開閉する。また、図３に示されるように、第４区画壁６４に設けられたダンパ４５〜４８のうち、上段側の前後のダンパ４５，４６は交互に開閉し、下段側の前後のダンパ４７，４８も交互に開閉する。
【００４２】
また、第３，第４区画壁６３，６４に設けられた下段側のダンパ４１，４２，４７，４８のうち、前側に配置された２つのダンパ４１，４７が組となって同時に開閉し（一方が開いたときに他方も開き、一方が閉じたときに他方も閉じる）、後側に配置された２つのダンパ４２，４８が組となって同時に開閉する。
同様に、第３，第４区画壁６３，６４に設けられた上段側のダンパ４３，４４，４５，４６のうち、前側に配置された２つのダンパ４３，４５が組となって同時に開閉し、後側に配置された２つのダンパ４４，４６が組となって同時に開閉する。
【００４３】
そして、本実施の形態では、以上のようなダンパ４１〜４８の開閉パターンの組み合わせによって、図５に示される態様と、図６に示される態様とに空気流が切り換えられる。
図５に示される態様は、第１ファン３４によって内気取入口５４から取り入れられた室内空気が第１熱交換器室５７を通過して排気吹出口５１から排出され、第２ファン３５によって外気取入口５２から取り入れられた室外空気が第２熱交換器室５８を通過して給気吹出口５２から排出される態様である。また、図６に示される態様は、第１ファン３４によって内気取入口５４から取り入れられた室内空気が第２熱交換器室５８を通過して排気吹出口５１から排出され、第２ファン３５によって外気取入口５２から取り入れられた室外空気が第１熱交換器室５７を通過して給気吹出口５３から排出される態様である。
【００４４】
図７は、図５に示される空気流の態様に対応した、第１，第２空気流通路５９，６０と第１，第２熱交換器室５７，５８との間の空気流れを示す説明図である。
図７（ａ）に示されるように、内気取入口５４から下段側の第２空気流通路６０ｂに流入した空気流は、エアフィルタ７１を通過し、第４区画壁６４の下段前側に形成された通気口８７を介して第１熱交換器室５７に流入する。その後、当該空気流は、第１熱交換器３１を通過し、第３区画壁６３の下段前側に形成された通気口８１を介して下段側の第１空気流通路５９ｂに流入し、排気吹出口５１から室外に排出される。
【００４５】
この場合、本実施の形態では、エアフィルタ７１が吸込ダクトであるダクトＤ４の中心線と直交する面に対し傾斜して配置されているので、当該エアフィルタ７１に対して均一に空気をあてることが可能となり、エアフィルタ７１の端部付近において空気の淀みが生じるのを防止することができる。その結果、通気口８７に配設されたダンパ４７の入口部における空気速度にばらつきが発生するのが抑制され、圧力損失を小さくすることができる。
【００４６】
同時に、図７（ｂ）に示されるように、外気取入口５２から上段側の第１空気流通路５９ａに流入した空気流は、第３区画壁６３の上段後側に形成された通気口８４を介して第２熱交換器室５８に流入する。その後、当該空気流は、第２熱交換器３２を通過し、第４区画壁６４の上段後側に形成された通気口８６を介して上段側の第２空気流通路６０ａに流入し、給気吹出口５３から室内に供給される。
【００４７】
この場合も、本実施の形態では、エアフィルタ７１が吸込ダクトであるダクトＤ２の中心線と直交する面に対し傾斜して配置されているので、当該エアフィルタ７１に対して均一に空気をあてることが可能となり、エアフィルタ７１の端部付近において空気の淀みが生じるのを防止することができる。その結果、通気口８４に配設されたダンパ４４の入口部における空気速度にばらつきが発生するのが抑制され、圧力損失を小さくすることができる。
【００４８】
図８は、図６に示される空気流の態様に対応した、第１，第２空気流通路５９，６０と第１，第２熱交換器室５７，５８との間の空気の流れを示す説明図である。
図８（ａ）に示されるように、内気取入口５４から下段側の第２空気流通路６０ｂに流入した空気流は、エアフィルタ７１を通過し、第４区画壁６４の下段後側に形成された通気口８８を介して第２熱交換器室５８に流入する。その後、当該空気流は、第２熱交換器３２を通過し、第３区画壁６３の下段後側に形成された通気口８２を介して下段側の第１空気流通路５９ｂに流入し、排気吹出口５１から室外に排出される。
【００４９】
この場合、本実施の形態では、エアフィルタ７１が吸込ダクトであるダクトＤ４の中心線と直交する面に対し傾斜して配置されているので、当該エアフィルタ７１に対して均一に空気をあてることが可能となり、エアフィルタ７１の端部付近において空気の淀みが生じるのを防止することができる。その結果、通気口８８に配設されたダンパ４８の入口部における空気速度にばらつきが発生するのが抑制され、圧力損失を小さくすることができる。
【００５０】
同時に、図８（ｂ）に示されるように、外気取入口５２から上段側の第１空気流通路５９ａに流入した空気流は、エアフィルタ７１を通過し、第３区画壁６３の上段前側に形成された通気口８３を介して第１熱交換器室５７に流入する。その後、当該空気流は、第１熱交換器３１を通過し、第４区画壁６４の上段前側に形成された通気口８５を介して上段側の第２空気流通路６０ａに流入し、給気吹出口５３から室内に供給される。
【００５１】
この場合も、本実施の形態では、エアフィルタ７１が吸込ダクトであるダクトＤ２の中心線と直交する面に対し傾斜して配置されているので、当該エアフィルタ７１に対して均一に空気をあてることが可能となり、エアフィルタ７１の端部付近において空気の淀みが生じるのを防止することができる。その結果、通気口８３に配設されたダンパ４３の入口部における空気速度にばらつきが発生するのが抑制され、圧力損失を小さくすることができる。
【００５２】
図５及び図７に示される空気流の態様と図６及び図８に示される空気流の態様とは、図４に示される冷媒循環方向の切換動作（第１及び第２の冷凍サイクル動作）に合わせて所定時間毎（例えば、３分毎）に交互に繰り返して実行される。これによって調湿装置１０は、除湿運転と加湿運転とを行うことが可能となっている。
【００５３】
（加湿運転の説明）
まず、加湿運転について説明する。第１の冷凍サイクル動作は、図４（ａ）に示されるように、圧縮機２７から吐出された冷媒が、第１熱交換器３１で放熱して凝縮し、その後に電動膨張弁２８へ送られて減圧される。減圧された冷媒は、第２熱交換器３２で吸熱して蒸発し、その後に圧縮機２７に吸入されて圧縮され、再び吐出される。したがって、第１の冷凍サイクル動作では、第１熱交換器３１が凝縮器として機能し、第２熱交換器３２が蒸発器として機能する。
【００５４】
このとき、図６及び図８に示されるように、外気取入口５２から取り入れられた室外空気ＯＡは第１熱交換器３１を通過し、熱交換後の空気ＳＡが給気吹出口５３から供給される。また、内気取入口５４から取り入れられた室内空気ＲＡは第２熱交換器３２を通過し、熱交換後の空気ＥＡが排気吹出口５１から排出される。具体的に、凝縮器としての第１熱交換器３１においては、吸着剤に吸着されていた水分が冷媒の熱によって脱離し、室外空気ＯＡに取り込まれる。これにより、第１熱交換器３１の吸着剤が再生されるとともに、室外空気ＯＡが加湿され、加湿後の空気ＳＡが給気吹出口５３から室内に供給される。また、蒸発器としての第２熱交換器３２においては、冷媒の吸熱によって室内空気ＲＡに含まれる水分が吸着剤に吸着（回収）され、室内空気ＲＡが除湿される。除湿後の空気ＥＡは排気吹出口５１から室外に排出される。
【００５５】
第２の冷凍サイクル動作は、図４（ｂ）に示されるように、圧縮機２７から吐出された冷媒が、第２熱交換器３２で放熱して凝縮し、その後に電動膨張弁２８へ送られて減圧される。減圧された冷媒は、第１熱交換器３１で吸熱して蒸発し、その後に圧縮機２７へ吸入されて圧縮され、再び吐出される。したがって、第２の冷凍サイクル動作では、第１熱交換器３１が蒸発器として機能し、第２熱交換器３２が凝縮器として機能する。
【００５６】
このとき、図５及び図７に示されるように、外気取入口５２から取り入れられた室外空気ＯＡは第２熱交換器３２を通過し、熱交換後の空気ＳＡが給気吹出口５３から供給される。内気取入口５４から取り入れられた室内空気ＲＡは第１熱交換器３１を通過し、熱交換後の空気ＥＡが排気吹出口５１から排出される。具体的に、凝縮器としての第２熱交換器３２においては、吸着剤に吸着されていた水分が冷媒の熱によって脱離し、室外空気ＯＡに取り込まれる。これにより、第２熱交換器３２の吸着剤が再生されるとともに、室外空気ＯＡが加湿され、加湿後の空気ＳＡは給気吹出口５３から室内に供給される。また、蒸発器としての第１熱交換器３１においては、冷媒の吸熱によって室内空気ＲＡに含まれる水分が吸着剤に吸着（回収）され、室内空気ＯＡが除湿される。除湿後の空気ＥＡは、排気吹出口５１から室外に排出される。
【００５７】
（除湿運転の説明）
次に、除湿運転について説明する。図４（ａ）に示される第１冷凍サイクル動作では、第１熱交換器３１が凝縮器として機能し、第２熱交換器３２が蒸発器として機能する。このとき、図５及び図７に示されるように、外気取入口５２から取り入れられた室外空気ＯＡは第２熱交換器３２を通過し、熱交換後の空気ＳＡが給気吹出口５３から供給される。内気取入口５４から取り入れられた室内空気ＲＡは第１熱交換器３１を通過し、熱交換後の空気ＥＡが排気吹出口５１から排出される。具体的に、凝縮器としての第１熱交換器３１においては、吸着剤に吸着されていた水分が冷媒の熱によって脱離し、室内空気ＲＡに取り込まれる。これにより、吸着剤が再生されるとともに室内空気ＲＡが加湿され、加湿後の空気ＥＡが排気吹出口５１から室外に排出される。また、蒸発器としての第２熱交換器３２においては、冷媒の吸熱によって室外空気ＯＡに含まれる水分が吸着剤に吸着（回収）され、室外空気ＯＡが除湿される。除湿後の空気ＳＡは、給気吹出口５３から室内へ供給される。
【００５８】
図４（ｂ）に示される第２の冷凍サイクル動作では、第１熱交換器３１が蒸発器として機能し、第２熱交換器３２が凝縮器として機能する。このとき、図６及び図８に示されるように、外気取入口５２から取り入れられた室外空気ＯＡは第１熱交換器３１を通過し、熱交換後の空気ＳＡが給気吹出口５３から供給される。内気取入口５４から取り入れられた室内空気ＲＡは第２熱交換器３２を通過し、熱交換後の空気ＥＡが排気吹出口５１から排出される。具体的に、凝縮器としての第２熱交換器３２においては、吸着剤に吸着されていた水分が冷媒の熱によって脱離し、室内空気ＲＡに取り込まれる。これにより、吸着剤が再生されるとともに室内空気ＲＡが加湿され、加湿後の空気ＥＡが排気吹出口５１から室外に排出される。また、蒸発器としての第１熱交換器３１においては、冷媒の吸熱によって室外空気ｏＡに含まれる水分が吸着剤に吸着（回収）され、室外空気ＯＡが除湿される。除湿後の空気ＳＡは、給気吹出口５３から室内へ供給される。
【００５９】
〔その他の変形例〕
本発明は、前述した実施の形態に限定されるものではなく、特許請求の範囲に記載された発明の範囲内において適宜変更することができる。
例えば、前述した実施の形態では、エアフィルタを平面視矩形状の空気流通路（チャンバ）の対角を結ぶ線上に配置しているが、当該エアフィルタの平面形状は適宜変更可能である。前述した実施の形態では、吸込ダクトが前記チャンバの片側に寄った位置に配設されていることから、平面視矩形状のチャンバの対角を結ぶ線上にエアフィルタを配置しているが、図９に示されるように、吸込ダクトであるダクトＤ２、Ｄ４が平面視矩形状のチャンバの長手方向の中央付近、換言すれば当該チャンバと連通し且つ併設された２つの通気口にそれぞれ設けられたダンパの中央付近にダクトＤ２、Ｄ４が配設されている場合、エアフィルタを平面視でくの字状に配置することができる。エアフィルタ７１を平面視でくの字状に配置することにより、空気流通路の対角を結ぶ線上に配置するよりも当該エアフィルタ７１に対して均一に空気をあてることが可能となり、エアフィルタ７１の端部付近において空気の淀みが生じるのを防止することができる。なお、図９において、図１に示されるものと同一の構成ないし要素については、図１と同一の符号を付している。そして、それらについての説明は、重複するので省略する。
【符号の説明】
【００６０】
１０      ：調湿装置
１１      ：ケーシング
３１      ：第１熱交換器
３２      ：第２熱交換器
３４      ：第１ファン
３５      ：第２ファン
５１      ：外気取入口
５２      ：排気吹出口
５３      ：内気取入口
５４      ：給気吹出口
５７      ：第１熱交換器室
５８      ：第２熱交換器室
６３      ：第３区画壁
６４      ：第４区画壁
７１      ：エアフィルタ
【図１】
2014119182.tif 000003
【図２】
2014119182.tif 000004
【図３】
2014119182.tif 000005
【図４】
2014119182.tif 000006
【図５】
2014119182.tif 000007
【図６】
2014119182.tif 000008
【図７】
2014119182.tif 000009
【図８】
2014119182.tif 000010
【図９】
2014119182.tif 000011
【図１０】
2014119182.tif 000012